Podtech/llm-jp-corpus-v4-ja_patent huggingface dataset:
【手続補正書】
【提出日】平成28年4月12日(2016.4.12)
【手続補正１】
【補正対象書類名】特許請求の範囲
【補正対象項目名】全文
【補正方法】変更
【補正の内容】
【特許請求の範囲】
【請求項１】
第一のソーシャルネットワーク内でマルチネットワークインタラクションを実現するコンピュータ実装方法において、
前記第一のソーシャルネットワーク内でグループを形成するための複数のユーザを特定するステップと、
前記グループのメンバーが、前記第一のソーシャルネットワークの中から第二のソーシャルネットワークに接続できるようにするステップであって、前記第二のソーシャルネットワークが前記第一のソーシャルネットワークの外部にあるステップと、
前記グループのメンバーが、前記グループの他のメンバーの少なくとも何人かにより前記第二のソーシャルネットワークに投稿されたコンテンツにアクセスできるようにするステップと、
前記第一のソーシャルネットワーク内で、前記グループの前記メンバーによって前記第二のソーシャルネットワークに投稿されたコンテンツを表示するステップと、
を含む方法。
【請求項２】
請求項１に記載の方法において、前記第一のソーシャルネットワークがプライベートソーシャルネットワークである方法。
【請求項３】
請求項２に記載の方法において、前記第一のソーシャルネットワークの外部の前記第二のソーシャルネットワークが、プライベートまたはパブリックソーシャルネットワークである方法。
【請求項４】
請求項１に記載の方法において、前記グループの前記メンバーにより投稿された前記コンテンツを表示する前記ステップが、時系列または前記第一のソーシャルネットワークのユーザによって決定されるその他の選別基準に基づいて行われる方法。
【請求項５】
請求項１に記載の方法において、
前記グループの、前記第二のソーシャルネットワークのメンバーでもある前記メンバーに関する個人識別情報を判断するステップと、
前記判断された個人識別情報に基づいて、前記グループメンバーのうちの前記メンバーが前記第二のソーシャルネットワークの中で投稿した前記コンテンツを、前記第二のソーシャルネットワークに関連する外部サーバによって配信されるコンテンツのストリームのクエリを実行することによって読み出すステップと、
前記読み出されたコンテンツを第一のソーシャルネットワークにおいて、前記外部サーバへのクエリの頻度が管理されるようにアーカイブするステップと、
をさらに含む方法。
【請求項６】
請求項１に記載の方法において、前記グループのうち、前記第一のソーシャルネットワーク内で接続されている前記メンバーが、前記第二のソーシャルネットワーク上で相互に接続されていなくてもよい方法。
【請求項７】
請求項１に記載の方法において、コンテンツのアーカイブおよび共有のための追加のソーシャルシェアリングツールが前記グループのメンバーに提供され、前記第一のソーシャルネットワークと前記第二のソーシャルネットワーク上のコンテンツの投稿とアーカイブが容易とされる方法。
【請求項８】
請求項１に記載の方法において、前記グループの前記メンバーが前記第二のソーシャルネットワークに投稿したコンテンツを表示する前記ステップを、メンバーの選好に基づいて無効にするステップをさらに含む方法。
【請求項９】
請求項５に記載の方法において、前記第一のソーシャルネットワークを前記第二のソーシャルネットワークの中で信頼されたアプリケーションとして認証するステップをさらに含む方法。
【請求項１０】
請求項９に記載の方法において、認証に使用されるアルゴリズムがＯＡｕｔｈアルゴリズムを含む方法。
【請求項１１】
請求項５に記載の方法において、前記アーカイブするステップが、
前記第一のソーシャルネットワークの前記グループの前記メンバーによる前記コンテンツのストリームを前記第一のソーシャルネットワークのための内部サーバに非同期的にプッシュするステップと、
前記コンテンツのストリームを前記第一のソーシャルネットワークのための前記内部サーバに接続されたローカルデータベースに保存するステップと、
を含む方法。
【請求項１２】
請求項１１に記載の方法において、前記アーカイブするステップが、開始したユーザが前記第一または前記第二のソーシャルネットワークの何れかにおいてオフラインとなったことに関係なく継続する方法。
【請求項１３】
請求項１に記載の方法において、前記グループの選択的メンバーが、他のグループメンバーから前記第二のソーシャルネットワークに投稿された前記コンテンツを、前記第二のソーシャルネットワーク上で相互のコンテンツを見るために前記選択的なメンバーに付与された許可に基づいて見ることができる方法。
【請求項１４】
請求項１に記載の方法において、前記グループの前記メンバーが、前記グループの他のメンバーへのダイレクトメッセージを交換することができる方法。
【請求項１５】
請求項１３に記載の方法において、前記グループの第一のメンバーが、前記グループの２人またはそれ以上のメンバーにダイレクトメッセージをマルチキャストすることができる方法。
【請求項１６】
請求項１に記載の方法において、前記グループの前記メンバーに、コンテンツリッチメッセージスレッドを作るための追加のツールが提供される方法。
【手続補正書】
【提出日】平成28年2月22日(2016.2.22)
【手続補正１】
【補正対象書類名】特許請求の範囲
【補正対象項目名】請求項１
【補正方法】変更
【補正の内容】
【請求項１】
設定すべきマルチメディアシステムの主構成要素の選択をモバイル装置上で受信し、
該主構成要素のバックパネルのフォト・リアリスティックな描写を該モバイル装置上に表示し、該バックパネルの該フォト・リアリスティックな描写が、該バックパネル上に配置されている接続ポートのフォト・リアリスティックな描写を含み、
前記主構成要素に接続されるべき別の構成要素の選択を受信し、
該別の構成要素と該主構成要素との間の考え得る接続の１つ以上の種類を判定し、
該考え得る接続の各種類毎に、該考え得る接続の該種類について該主構成要素のバックパネルのフォト・リアリスティックな描写における特定の接続ポートを選択するようユーザをグラフィカルに案内し、
該ユーザによる該特定の接続ポートの選択に基づき、前記マルチメディアシステムのための一組の設定データを生成する、
という各ステップからなる方法。
【手続補正２】
【補正対象書類名】特許請求の範囲
【補正対象項目名】請求項２
【補正方法】変更
【補正の内容】
【請求項２】
グラフィカルに案内する前記ステップが、前記考え得る接続の各種類毎に、前記バックパネルの前記フォト・リアリスティックな描写における前記接続ポートの前記フォト・リアリスティックな描写のうちの１つ以上であって前記考え得る接続の前記種類のために使用することが可能なものを強調表示するステップを更に含む、請求項１に記載の方法。
【手続補正３】
【補正対象書類名】特許請求の範囲
【補正対象項目名】請求項４
【補正方法】変更
【補正の内容】
【請求項４】
前記ユーザが、前記モバイル装置のタッチスクリーン上の前記特定の接続ポートの個々のフォト・リアリスティックな描写をタッチすることにより該特定の接続ポートを選択する、請求項１に記載の方法。
【手続補正４】
【補正対象書類名】特許請求の範囲
【補正対象項目名】請求項１３
【補正方法】変更
【補正の内容】
【請求項１３】
接続ポートが配置されたバックパネルを有するプログラマブルマルチメディアコントローラであって、１つ以上のオーディオソース構成要素、１つ以上のビデオソース構成要素、１つ以上のオーディオ出力構成要素、又は１つ以上のビデオ出力構成要素を含む複数の異なる種類の電子的な構成要素を制御するよう構成されている、プログラマブルマルチメディアコントローラと、
プロセッサを含むモバイル装置上で実行することが可能な設定用アプリケーションであって、該プロセッサ上で実行された際に、
設定されるべきマルチメディアシステムの主プログラマブルマルチメディアコントローラとしての前記プログラマブルマルチメディアコントローラの選択を受信し、
該主プログラマブルマルチメディアコントローラのバックパネルのフォト・リアリスティックな描写を表示し、該バックパネルの該フォト・リアリスティックな描写が、該バックパネル上に配置された接続ポートのフォト・リアリスティックな描写を含み、
該主プログラマブルマルチメディアコントローラに接続されるべき別の構成要素の選択を受信し、
該別の構成要素と該主プログラマブルマルチメディアコントローラとの間の考え得る接続の１つ以上の種類の各々毎に、該考え得る接続の該種類について該主プログラマブルマルチメディアコントローラの前記バックパネルの前記フォト・リアリスティックな描写における特定の接続ポートを選択するようユーザをグラフィカルに案内し、
該ユーザによる該特定の接続ポートの選択に基づき、前記マルチメディアシステムのための一組の設定データを生成する、
という各ステップを行うよう動作可能なものである、設定用アプリケーションと
からなるシステム。
【手続補正５】
【補正対象書類名】特許請求の範囲
【補正対象項目名】請求項１４
【補正方法】変更
【補正の内容】
【請求項１４】
前記設定用アプリケーションが、前記プロセッサ上で実行された際に、前記考え得る接続の各種類毎に、前記バックパネルの前記フォト・リアリスティックな描写における接続ポートであって該考え得る接続の種類のために使用することができる接続ポートの１つ以上のフォト・リアリスティックな描写を強調表示することにより、前記グラフィカルな案内を行うよう動作可能なものである、請求項１３に記載のシステム。
【手続補正６】
【補正対象書類名】特許請求の範囲
【補正対象項目名】請求項１５
【補正方法】変更
【補正の内容】
【請求項１５】
前記設定用アプリケーションが、前記プロセッサ上で実行された際に、前記考え得る接続の種類についての特定の接続ポートの選択に応じて、該考え得る接続の該種類について前記バックパネルの前記フォト・リアリスティックな描写における前記接続ポートの前記フォト・リアリスティックな描写のうちの１つ以上の強調表示を消去するよう更に動作可能なものである、請求項１４に記載のシステム。
【手続補正７】
【補正対象書類名】特許請求の範囲
【補正対象項目名】請求項１６
【補正方法】変更
【補正の内容】
【請求項１６】
前記モバイル装置が、前記主プログラマブルマルチメディアコントローラの前記バックパネルの前記フォト・リアリスティックな描写を表示し、及び該バックパネルの該フォト・リアリスティックな描写における接続ポートの特定のフォト・リアリスティックな描写上でのユーザからのタッチであって特定の接続ポートの選択を示すタッチを受信するよう構成された、タッチスクリーンを備えている、請求項１３に記載のシステム。
【手続補正８】
【補正対象書類名】特許請求の範囲
【補正対象項目名】請求項２０
【補正方法】変更
【補正の内容】
【請求項２０】
実行可能命令を格納した持続性コンピュータ読み取り可能媒体であって、該実行可能命令が、プロセッサにより実行された際に、
設定されるべきマルチメディアシステムの主構成要素の選択を受信し、
該主構成要素のバックパネルのフォト・リアリスティックな描写を表示し、該バックパネルの該フォト・リアリスティックな描写が、該バックパネル上に配置された接続ポートのフォト・リアリスティックな描写を含み、
該主構成要素に接続されるべき別の構成要素の選択を受信し、
該別の構成要素と該主構成要素との間の考え得る接続の１つ以上の種類を判定し、
該考え得る接続の種類の各々毎に、該考え得る接続の該種類について前記主構成要素の前記バックパネルの前記フォト・リアリスティックな描写における特定の接続ポートを選択するようユーザをグラフィカルに案内し、
該ユーザによる該特定の接続ポートの選択に基づき、前記マルチメディアシステムのための一組の設定データを生成する、
という各ステップを行うよう動作可能なものである、持続性コンピュータ読み取り可能媒体。
【手続補正書】
【提出日】平成28年7月20日(2016.7.20)
【手続補正１】
【補正対象書類名】特許請求の範囲
【補正対象項目名】全文
【補正方法】変更
【補正の内容】
【特許請求の範囲】
【請求項１】
メッセージと、属性のセットに関する、複数の要素を含むポリシーとを決定するための入力ユニットと、
前記メッセージの暗号化された表現及び前記複数の要素の暗号化された表現を生成するための第１の暗号ユニットであって、
秘密を生成するための秘密生成器と、
前記秘密に基づいて前記メッセージを暗号化して前記メッセージの前記暗号化された表現を得るためのメッセージ暗号化ユニットと、
前記ポリシーの要素各々を前記秘密に基づいて変換し、各々のポリシー暗号文要素を得るためのポリシー変換ユニットと、
前記秘密を暗号化して暗号化された秘密を得るための秘密暗号化ユニットとを含む、第１の暗号ユニットと
を含む、第１のエンクリプタと、
前記メッセージの前記暗号化された表現及び前記複数の要素の前記暗号化された表現を受信するための受信ユニットと、
前記メッセージの前記暗号化された表現及び前記複数の要素の前記暗号化された表現を、前記ポリシーに関連付けられた属性ベース暗号メッセージに変換するための第２の暗号ユニットであって、
前記暗号化された秘密の解読を可能にしない鍵に基づいて前記暗号化された秘密の複数の暗号化されたシェアを生成するためのシェア生成ユニットと、
前記ポリシー暗号文要素の各々を前記暗号化された秘密の前記暗号化されたシェアの各々と組み合わせて前記ポリシーの暗号表現を得るための組み合わせユニットとを含む、第２の暗号ユニットと
を含む、第２のエンクリプタと
を含む、属性ベース暗号のためのシステム。
【請求項２】
前記第１のエンクリプタは、モバイル端子の一部として実装され、前記第２のエンクリプタは、前記モバイル端子とは異なるデバイスの一部として実装される、請求項１に記載のシステム。
【請求項３】
前記要素の各々は、各属性に対応する、請求項１に記載のシステム。
【請求項４】
前記組み合わせユニットは、前記暗号化された秘密の前記暗号化されたシェアによって前記ポリシー内の属性間の関係を施行する、請求項４に記載のシステム。
【請求項５】
前記第２の暗号ユニットは、前記秘密を解読することなく、前記暗号化された秘密から前記暗号化されたシェアを直接生成し、前記暗号化されたシェアを解読することなく、前記暗号化されたシェアを組み合わせて前記秘密を得ることはできない、請求項１に記載のシステム。
【請求項６】
前記第１の暗号ユニットは、所定の数字を前記秘密を表す値で累乗することによって前記秘密を暗号化するための秘密暗号化ユニットを含む、請求項５に記載のシステム。
【請求項７】
請求項１に記載のシステムを含む通信システム。
【請求項８】
前記メッセージは、モバイル端末上で動作するデータ入力アプリケーションによって生成される医療情報を含む、請求項７に記載の通信システム。
【請求項９】
前記第２のエンクリプタのための鍵であって、前記第２の暗号ユニットが前記秘密の暗号化されたシェアを生成することを可能にするが、前記第２の暗号ユニットが前記秘密を解読することは可能にしない当該鍵を生成する、請求項１に記載のシステムに使用される鍵生成器。
【請求項１０】
第１のデバイスにおいて、
メッセージと、属性のセットに関する、複数の要素を含むポリシーとを決定するステップと、
前記メッセージの暗号化された表現及び前記複数の要素の暗号化された表現を生成するステップと、
秘密を生成するステップと、
前記秘密に基づいて前記メッセージを暗号化して、前記メッセージの前記暗号化された表現を得るステップと、
前記ポリシーの要素各々を前記秘密に基づいて変換して、各々のポリシー暗号文要素を得るステップと、
前記秘密を暗号化して暗号化された秘密を得るステップと
を含み、
第２のデバイスにおいて、
前記メッセージの前記暗号化された表現及び前記複数の要素の前記暗号化された表現を受信するステップと、
前記メッセージの前記暗号化された表現及び前記複数の要素の前記暗号化された表現を、前記ポリシーに関連付けられた属性ベース暗号メッセージに変換するステップと、
第２のエンクリプタ秘密鍵に基づいて、前記暗号化された秘密の複数の暗号化されたシェアを生成するステップと、
前記ポリシー暗号文要素の各々を前記暗号化された秘密の前記暗号化されたシェアの各々と組み合わせて、前記ポリシーの暗号表現を得るステップと
を含む、属性ベース暗号化方法。
【手続補正書】
【提出日】平成28年7月20日(2016.7.20)
【手続補正１】
【補正対象書類名】特許請求の範囲
【補正対象項目名】全文
【補正方法】変更
【補正の内容】
【特許請求の範囲】
【請求項１】
少なくとも１つの量子井戸を備える半導体光増幅器の入力側に光学的に結合される、入力パワースペクトル、入力中心波長、入力波長帯、および入力平均パワーを有する入力チューナブル放射と、前記光増幅器の出力側から放出される、出力パワースペクトル、出力中心波長、出力波長帯、および出力平均パワーを有する出力チューナブル放射とを備える増幅チューナブルレーザ源であって、
前記入力チューナブル放射が、
第１および第２のミラーを含む光共振器と、
前記第１および第２のミラー間に介在するゲイン領域と、
同調領域と、
前記同調領域の光路長の調節手段と
を備えるチューナブルレーザによって生成され、
前記光共振器の自由スペクトル領域（ＦＳＲ）が前記中心波長の５％を超え、
前記チューナブルレーザが前記波長帯にわたって略単一縦横モードで動作し、
前記光路長の調節手段が約１ｋＨｚ超の６ｄＢ帯域幅の波長同調周波数応答を有し、
前記光増幅器が、前記入力チューナブル放射と同期して同調される共振チューナブル光増幅器である、
増幅チューナブルレーザ源。
【請求項２】
前記共振チューナブル光増幅器が垂直共振器光増幅器である、
請求項１に記載の増幅チューナブルレーザ源。
【請求項３】
少なくとも１つの量子井戸を備える半導体光増幅器の入力側に光学的に結合される、入力パワースペクトル、入力中心波長、入力波長帯、および入力平均パワーを有する入力チューナブル放射と、前記光増幅器の出力側から放出される、出力パワースペクトル、出力中心波長、出力波長帯、および出力平均パワーを有する出力チューナブル放射とを備える増幅チューナブルレーザ源であって、入力チューナブル放射に対して出力チューナブル放射の側モード抑制比を向上させる、前記入力チューナブル放射と前記増幅器間の光フィルタをさらに備え、
前記入力チューナブル放射が、
第１および第２のミラーを含む光共振器と、
前記第１および第２のミラー間に介在するゲイン領域と、
同調領域と、
前記同調領域の光路長の調節手段と
を備えるチューナブルレーザによって生成され、
前記光共振器の自由スペクトル領域（ＦＳＲ）が前記中心波長の５％を超え、
前記チューナブルレーザが前記波長帯にわたって略単一縦横モードで動作し、
前記光路長の調節手段が約１ｋＨｚ超の６ｄＢ帯域幅の波長同調周波数応答を有する、
増幅チューナブルレーザ源。
【請求項４】
少なくとも１つの量子井戸を備える半導体光増幅器の入力側に光学的に結合される、入力パワースペクトル、入力中心波長、入力波長帯、および入力平均パワーを有する入力チューナブル放射と、前記光増幅器の出力側から放出される、出力パワースペクトル、出力中心波長、出力波長帯、および出力平均パワーを有する出力チューナブル放射とを備える増幅チューナブルレーザ源であって、
前記入力チューナブル放射が、
第１および第２のミラーを含む光共振器と、
前記第１および第２のミラー間に介在するゲイン領域と、
同調領域と、
前記同調領域の光路長の調節手段と
を備えるチューナブルレーザ（１００）によって生成され、
前記光共振器の自由スペクトル領域（ＦＳＲ）が前記中心波長の５％を超え、
前記チューナブルレーザが前記波長帯にわたって略単一縦横モードで動作し、
前記光路長の調節手段が約１ｋＨｚ超の６ｄＢ帯域幅の波長同調周波数応答を有し、
前記光増幅器が２つ以上の増幅段を備える、
増幅チューナブルレーザ源。
【請求項５】
チューナブルフィルタが第１および第２の増幅段間に挿入されて前記第１の段からのＡＳＥ雑音を抑制し、前記チューナブルフィルタが前記入力チューナブル放射と同期して同調される、
請求項４に記載の増幅チューナブルレーザ源。
【請求項６】
少なくとも１つの量子井戸を備える半導体光増幅器の入力側に光学的に結合される、入力パワースペクトル、入力中心波長、入力波長帯、および入力平均パワーを有する入力チューナブル放射と、前記光増幅器の出力側から放出される、出力パワースペクトル、出力中心波長、出力波長帯、および出力平均パワーを有する出力チューナブル放射とを備える増幅チューナブルレーザ源であって、
前記入力チューナブル放射が、
第１および第２のミラーを含む光共振器と、
前記第１および第２のミラー間に介在するゲイン領域と、
同調領域と、
前記同調領域の光路長の調節手段と
を備えるチューナブルレーザ（１００）によって生成され、
前記光共振器の自由スペクトル領域（ＦＳＲ）が前記中心波長の５％を超え、
前記チューナブルレーザが前記波長帯にわたって略単一縦横モードで動作し、
前記光路長の調節手段が約１ｋＨｚ超の６ｄＢ帯域幅の波長同調周波数応答を有し、
及び前記増幅放射の横モード抑制比が、前記入力チューナブル放射の横モード抑制比を超過する、
増幅チューナブルレーザ源。
【手続補正書】
【提出日】平成28年7月6日(2016.7.6)
【手続補正１】
【補正対象書類名】特許請求の範囲
【補正対象項目名】全文
【補正方法】変更
【補正の内容】
【特許請求の範囲】
【請求項１】
歩道付きのバーナーブーム上に散水システムを設置するための方法であって、
前記散水システムが、ベースユニットと、支柱チューブと、ノズル装置と、を具備しているものとされ、さらに、前記支柱チューブが、格納位置と動作位置との間にわたって移行可能なものとされ、
この方法においては、
前記散水システムの取付後における前記歩道付きの前記バーナーブームの歩道幅に対して少なくとも３０ｃｍという幅を解放状態に残した状態で、前記散水システムを、前記歩道に隣接させて前記バーナーブームに対して取り付けることを特徴とする方法。
【請求項２】
請求項１記載の方法において、
前記散水システムの取付後における前記バーナーブームの前記歩道幅に対して少なくとも５０ｃｍという幅を解放状態に残すことを特徴とする方法。
【請求項３】
請求項２記載の方法において、
前記散水システムの取付後における前記バーナーブームの前記歩道幅に対して少なくとも６５ｃｍという幅を解放状態に残すことを特徴とする方法。
【請求項４】
請求項１〜３のいずれか１項に記載の方法において、
前記散水システムを、前記バーナーブームの配管系の上方に配置することを特徴とする方法。
【請求項５】
請求項１〜４のいずれか１項に記載の方法において、
前記散水システムを、前記バーナーブームの前記歩道の手すり支持体の外側において、前記バーナーブームに対して取り付けることを特徴とする方法。
【請求項６】
バーナーブームであって、
歩道と、散水システムと、を具備してなり、
前記散水システムが、ベースユニットと、このベースユニットに対して取り付けられた支柱チューブと、この支柱チューブに対して取り付けられたノズル装置と、を具備しているものとされ、さらに、前記支柱チューブが、格納位置と動作位置との間にわたって移行可能なものとされ、
前記散水システムが、前記歩道に隣接させて前記バーナーブームに対して連結されているとともに、前記歩道が、少なくとも３０ｃｍというクリアランス幅を有していることを特徴とするバーナーブーム。
【請求項７】
請求項６記載のバーナーブームにおいて、
前記支柱チューブが前記格納位置とされたときには、前記支柱チューブが、前記歩道に対して平行に延在することを特徴とするバーナーブーム。
【請求項８】
請求項６または７記載のバーナーブームにおいて、
前記支柱チューブが、前記ノズル装置が上向きとなる状況と前記ノズル装置が下向きとなる状況との間にわたって移動可能とされていることを特徴とするバーナーブーム。
【請求項９】
請求項６〜８のいずれか１項に記載のバーナーブームにおいて、
前記支柱チューブが、互いに直交した複数の軸線まわりに回転可能とされていることを特徴とするバーナーブーム。
【請求項１０】
請求項６〜９のいずれか１項に記載のバーナーブームにおいて、
移動可能部材が、前記支柱チューブを備え、
前記支柱チューブが、内部流通チャネルを有しているとともに、この支柱チューブに対して前記ノズル装置を取り付け得るものとされ、
前記ベースユニットが、連結機構を備え、
前記移動可能部材が、前記移動可能部材の端部から離間した連結ポイントのところにおいて前記連結機構に対して回転可能に取り付けられていることを特徴とするバーナーブーム。
【請求項１１】
請求項１０記載のバーナーブームにおいて、
前記移動可能部材が、前記連結ポイントと前記移動可能部材の前記端部との間に、ノズル装置を取り付けるためのノズル端部を有し、
前記移動可能部材が、さらに、前記連結ポイントと前記移動可能部材の反対側端部との間に、釣り合い錘を有し、
前記釣り合い錘の重量が、５０〜３００ｋｇとされ、または、１００〜２００ｋｇとされることを特徴とするバーナーブーム。
【請求項１２】
請求項１０または１１記載のバーナーブームにおいて、
前記移動可能部材が、前記連結ポイントと前記移動可能部材の前記端部との間に、ノズル装置を取り付けるためのノズル端部を有し、
前記移動可能部材が、さらに、前記連結ポイントと前記移動可能部材の反対側端部との間に、釣り合い錘を有し、
前記移動可能部材と前記ノズル装置との合計重量の２０〜４０％が、前記移動可能部材のうちの、前記釣り合い錘が設けられている方の端部上に位置していることを特徴とするバーナーブーム。
【請求項１３】
請求項６〜１２のいずれか１項に記載のバーナーブームにおいて、
前記バーナーブームの前記歩道には、手すりが設けられ、
前記散水システムが、前記手すりよりも外側において、前記バーナーブームに対して取り付けられていることを特徴とするバーナーブーム。
【請求項１４】
請求項６〜１３のいずれか１項に記載のバーナーブームにおいて、
前記歩道には、少なくとも５０ｃｍというあるいは少なくとも６５ｃｍというクリアランス幅が設けられていることを特徴とするバーナーブーム。
【請求項１５】
散水システムの使用であって、
請求項６〜１４のいずれか１項に記載されたバーナーブーム上において散水システムが使用され、
ウォータスクリーンを形成することにより、熱源からの熱伝達を低減させることを特徴とする使用。
【手続補正書】
【提出日】平成28年7月15日(2016.7.15)
【手続補正１】
【補正対象書類名】特許請求の範囲
【補正対象項目名】全文
【補正方法】変更
【補正の内容】
【特許請求の範囲】
【請求項１】
創傷開口部に対して配置されるように構成された可動構造体と、
創傷充填材料であって、前記創傷充填材料への陰圧印加時に、前記可動構造体が、第二方向に対して少なくとも第一方向に沿って選択的に収縮するように、創傷開口部内に配置された、創傷充填材料と、
陰圧印加時に流体が前記創傷充填材料を通って流体排出デバイスから排出され得るように、前記創傷充填材料と流体連通する、流体排出デバイスと、
を備える、陰圧創傷閉鎖デバイス。
【請求項２】
前記創傷充填材料が、多孔性材料を含む、請求項１に記載の陰圧創傷閉鎖デバイス。
【請求項３】
前記創傷充填材料が、発泡体を含む、請求項１または２に記載の陰圧創傷閉鎖デバイス。
【請求項４】
組織アンカーが、前記創傷充填材料に一体形成された、請求項１から３のいずれか一項に記載の陰圧創傷閉鎖デバイス。
【請求項５】
前記創傷充填材料の表面周りに設けられた層をさらに備える、請求項１から４のいずれか一項に記載の陰圧創傷閉鎖デバイス。
【請求項６】
前記層が、メッシュ材料を含む、請求項５に記載の陰圧創傷閉鎖デバイス。
【請求項７】
前記層が、複数のアンカーを備える、請求項５に記載の陰圧創傷閉鎖デバイス。
【請求項８】
前記可動構造体は、比較的圧縮性のある材料からなる領域に取り囲まれた、比較的剛性のある材料からなる１つまたは２つ以上の領域を備える、請求項１から７のいずれか一項に記載の陰圧創傷閉鎖デバイス。
【請求項９】
前記可動構造体は、前記流体排出デバイス上に配置された屈曲要素のフレームを含み、かつパッドを覆う筋膜の側方運動をもたらす前記流体排出デバイスの下に配置された、パッドをさらに備える、請求項１から８のいずれか一項に記載の陰圧創傷閉鎖デバイス。
【請求項１０】
前記フレームは、離間して相互連結された複数の屈曲要素を備え、前記屈曲要素が湾曲して１つの方向につぶれる、請求項９に記載の陰圧創傷閉鎖デバイス。
【請求項１１】
前記創傷充填材料は、長さ寸法、幅寸法、および高さ寸法を有し、内骨格により前記創傷充填材料は、幅寸法方向につぶれ、かつ長さ寸法方向に伸張することができる、請求項１から１０のいずれか一項に記載の陰圧創傷閉鎖デバイス。
【請求項１２】
前記創傷充填材料の底面上に延在する平滑面をさらに備える、請求項１から１１のいずれか一項に記載の陰圧創傷閉鎖デバイス。
【請求項１３】
前記創傷充填材料は、創傷閉鎖デバイスのサイズを調節するために取除可能部分を含む、請求項１から１２のいずれか一項に記載の陰圧創傷閉鎖デバイス。
【請求項１４】
前記可動構造体を前記創傷開口部の創傷縁に取り付ける組織アンカーのデバイスをさらに備える、請求項１から１３のいずれか一項に記載の陰圧創傷閉鎖デバイス。
【請求項１５】
前記創傷開口部の縁で組織と接触し、かつ前記創傷充填材料に陰圧を印加するときに創傷縁にて前記組織を変位させて創傷の閉鎖を促進する、複数の外向きに突出する組織アンカーを含み、かつ前記創傷充填材料の外周面上に延在する、組織把持面をさらに備える、請求項１から１４のいずれか一項に記載の陰圧創傷閉鎖デバイス。
【請求項１６】
組織アンカーが、前記創傷充填材料に一体形成された、請求項１から１４のいずれか一項に記載の陰圧創傷閉鎖デバイス。
【請求項１７】
前記層が、複数のアンカーを備える、請求項５に記載の陰圧創傷閉鎖デバイス。
【請求項１８】
組織アンカーにより組織に印加された横方向の力を測定するセンサをさらに備える、請求項１４に記載の陰圧創傷閉鎖デバイス。
【手続補正書】
【提出日】平成28年7月7日(2016.7.7)
【手続補正１】
【補正対象書類名】特許請求の範囲
【補正対象項目名】全文
【補正方法】変更
【補正の内容】
【特許請求の範囲】
【請求項１】
セルラ・ネットワークにおけるモバイル・コンピューティング・デバイスにより実行される方法であって、
前記セルラ・ネットワークにおける基地局から信号を受信するステップと、
前記信号を受信したことに応答して、前記信号の品質を示す信号品質値を算出するステップと、
前記モバイル・コンピューティング・デバイス上で実行されているアプリケーションから、前記アプリケーションが前記セルラ・ネットワークを介したデータの伝送をリクエストしたというインジケーションを受信するステップと、
時間期限を受信するステップであって、前記データの伝送は前記時間期限の前に終了されることになり、前記時間期限は未来の時間である、ステップと、
定められた閾値を受信するステップであって、前記定められた閾値は、前記セルラ・ネットワークにおける少なくとも１つの基地局から受信されたそれぞれの信号の品質を示す以前に算出された信号品質値に基づく、ステップと、
前記信号品質値、前記定められた閾値、及び前記時間期限に少なくとも部分的に基づいて、前記モバイル・コンピューティング・デバイスの無線通信機を介した前記データの伝送をスケジュールするステップと、
前記データの伝送をスケジュールしたことに従って、前記データを伝送するステップと、
を含む、方法。
【請求項２】
前記モバイル・コンピューティング・デバイス上で実行されている前記アプリケーションは、ビデオ・プレーヤを含むウェブ・ブラウザであり、前記データはビデオ・データである、請求項１記載の方法。
【請求項３】
前記モバイル・コンピューティング・デバイス上で実行されている前記アプリケーションは、前記モバイル・コンピューティング・デバイスのディスプレイ・スクリーン上にストリーミング・ビデオを提示させるビデオ・プレーヤである、請求項１記載の方法。
【請求項４】
前記データの伝送は、前記セルラ・ネットワークを介した前記データのダウンロードであり、前記方法は、前記時間期限を算出するステップであって、前記時間期限は、前記アプリケーションが前記セルラ・ネットワークを介してダウンロードされる前記データを消費するレートと、前記信号のスループットとに少なくとも部分的に基づいて算出される、ステップをさらに含む、請求項１記載の方法。
【請求項５】
前記モバイル・コンピューティング・デバイス上で実行されているオペレーティング・システムが、前記インジケーションを前記受信すること、前記時間期限を前記受信すること、前記定められた閾値を前記受信すること、及び前記スケジュールすることを実行する、請求項１記載の方法。
【請求項６】
前記スケジュールすることは、
前記モバイル・コンピューティング・デバイスの前記無線通信機に前記データの伝送を開始させる信号を、前記無線通信機に送信することと、
前記信号の品質とは無関係に、前記モバイル・コンピューティング・デバイスの前記無線通信機を、少なくとも閾時間期間の間アクティブ状態のままにすることと、
を含む、請求項１記載の方法。
【請求項７】
モバイル・コンピューティング・デバイスであって、
セルラ・ネットワークにおける基地局に信号を送信し前記基地局から信号を受信するよう構成されている無線通信機と、
前記無線通信機と通信するプロセッサと、
メモリと、を備え、
前記メモリは、
前記プロセッサにより実行されるアプリケーションであって、前記セルラ・ネットワークにおける前記基地局を介してアクセス可能なデータを求めるリクエストを出すアプリケーションと、
前記プロセッサにより実行されたときに、信号品質値、時間期限、及び第１の閾値に少なくとも部分的に基づく、前記無線通信機を介した前記データの受信のためのスケジュールを生成する伝送スケジューラ・コンポーネントであって、前記信号品質値は、前記無線通信機により受信された、前記基地局から送信された信号の品質を示し、前記時間期限は、前記時間期限より前に前記アプリケーションに前記データを提供することになる時間を示し、前記第１の閾値は、前記信号の望まれる品質を示し、前記第１の閾値は、前記無線通信機により受信された、前記セルラ・ネットワークにおける少なくとも１つの基地局から送信されたそれぞれの信号の信号品質値に基づき、前記プロセッサは、前記スケジュールに少なくとも部分的に基づいて、前記無線通信機を、直ちにアクティブ状態にさせるか、アクティブ状態のままにするか、直ちにアイドル状態にさせるか、又はアイドル休止状態にさせる、伝送スケジューラ・コンポーネントと、を含む、モバイル・コンピューティング・デバイス。
【請求項８】
前記プロセッサは、オペレーションのアイドル・モードに入るよう構成されており、前記無線通信機は、前記信号品質値が予め定められた閾値だけ変化したとき、前記プロセッサをアクティブ状態にさせる信号を、前記プロセッサに送信するよう構成されている、請求項７記載のモバイル・コンピューティング・デバイス。
【請求項９】
前記アプリケーションによりリクエストされた前記データは、ストリーミング・ビデオ・データ、オペレーティング・システム・アップデート、又はアプリケーション・アップデートである、請求項７記載のモバイル・コンピューティング・デバイス。
【請求項１０】
前記伝送スケジューラ・コンポーネントは、前記時間期限を現在の時間と比較して前記時間期限と前記現在の時間との間の差が第２の閾値を超えていることを確認し、前記信号品質値を前記第１の閾値と比較して前記信号品質値が前記第１の閾値以下であることを確認し、前記時間期限と前記現在の時間との間の前記差が前記第２の閾値を超えていること、及び前記信号品質値が前記第１の閾値以下であることに少なくとも部分的に基づいて、前記スケジュールを生成し、前記プロセッサは、前記スケジュールに少なくとも部分的に基づいて、前記無線通信機を、直ちにアイドル状態にさせるか、又はアイドル状態のままにする、請求項７記載のモバイル・コンピューティング・デバイス。
【手続補正書】
【提出日】平成28年6月23日(2016.6.23)
【手続補正１】
【補正対象書類名】特許請求の範囲
【補正対象項目名】全文
【補正方法】変更
【補正の内容】
【特許請求の範囲】
【請求項１】
共通キャリア上に、第１軸に沿って並んで配置される複数のサブモジュールを有し、前記サブモジュールのそれぞれは、前記サブモジュールの面の上に、１又は複数の半導体レーザのアレイから形成されるレーザエリアを有し、前記半導体レーザから放射されるレーザ照射は、前記サブモジュールの前記面に面する加工面に強度分布を形成し、前記サブモジュール及び前記レーザエリアは、隣接するサブモジュールのレーザエリアの投影が前記第１軸と垂直な方向において部分的に重なるように配置され、前記レーザエリアは、２つの平行な側端部を有する前記半導体レーザのアレイのアレンジメントから形成され、隣接するレーザエリアの前記平行な側端部は、互いに平行であり、前記第１軸に対して０°＜β＜９０°の角度βだけ傾斜し、前記レーザエリアは、当該レーザエリアの傾斜したアレンジメントによって、前記第１軸に平行な方向において前記加工面における均一な強度分布を生成する、レーザモジュール。
【請求項２】
前記半導体レーザのアレイの前記アレンジメントは、長方形エリアを形成する、請求項１に記載のレーザモジュール。
【請求項３】
前記角度βは、条件：Ｈ×ｃｏｓβ＝ｎ×（Ｂ＋Ｇ）／ｓｉｎβに従って選択され、ｎは任意の整数、Ｂは前記長方形レーザエリアの幅、Ｈは前記長方形レーザエリアの高さ、及びＧは隣接するサブモジュールの前記レーザエリア間のギャップの幅である、請求項２に記載のレーザモジュール。
【請求項４】
前記アレンジメントの前記平行な側端部は、前記第１軸に対してβ＝４５°の角度だけ傾斜し、前記半導体レーザは長方形又は正方形の発光エリアを持ち、前記発光エリアの側端部が前記アレンジメントの前記平行な側端部に対して４５°の角度で配向されている、請求項１に記載のレーザモジュール。
【請求項５】
前記アレンジメントの前記平行な側端部は、前記第１軸に対してβ＝３０°又はβ＝６０°の角度だけ傾斜し、前記半導体レーザの各アレイは六角形アレンジメントの半導体レーザを有し、前記六角形アレンジメントの主軸が前記第１軸に平行に配向される、請求項１に記載のレーザモジュール。
【請求項６】
前記サブモジュールは、前記半導体レーザの正面に個々のマイクロレンズ及び／又は単一円筒レンズを有し、前記マイクロレンズ及び／又は円筒レンズは、前記加工面にレーザラインを生成する前記半導体レーザによって放射されるレーザ照射をコリメートする又は合焦させ、前記レーザラインは、前記第１軸に平行に延びる、請求項１に記載のレーザモジュール。
【請求項７】
前記半導体レーザは、ＶＣＳＥＬ又はＶＥＣＳＥＬである、請求項１に記載のレーザモジュール。
【請求項８】
前記サブモジュール及び前記レーザエリアは、前記サブモジュールの幾つかをカバーする前記レーザモジュールの少なくとも中央部分において、前記半導体レーザによって放射されるレーザ照射のレーザパワーが、前記第１軸に垂直な方向に積分された場合に、前記第１軸の各部分に対して±１０％の精度内で一致し、前記第１軸の前記部分は、隣接する半導体レーザ間の距離よりも大きく、隣接するレーザエリア間のギャップよりも小さいように配置される、請求項１に記載のレーザモジュール。
【請求項９】
前記加工面内で対象物面を動かす又は前記第１軸に垂直に前記レーザモジュールを動かす装置に実装される、請求項１に記載のレーザモジュール。
【手続補正書】
【提出日】平成28年9月14日(2016.9.14)
【手続補正１】
【補正対象書類名】特許請求の範囲
【補正対象項目名】全文
【補正方法】変更
【補正の内容】
【特許請求の範囲】
【請求項１】
配列番号２、５、８、１１、１４、１７、２０、２３、２６、２９、３２、３５、３８、４１、４４、４７、５０、５３、５６、５９、６２、６５、６８、７１、７４、７７、８０、８３、８６、８９、９２、９５、９８、１０１、１０４、１０７、または１１０に示されるヌクレオチド配列に少なくとも６０％同一であるヌクレオチド配列またはこれらのいずれかの組合せを備える単離されたポリヌクレオチドであって、リグニン分解を加速するポリペプチドをコードする、単離されたポリヌクレオチド。
【請求項２】
配列番号３、６、９、１２、１５、１８、２１、２４、２７、３０、３３、３６、３９、４２、４５、４８、５１、５４、５７、６０、６３、６６、６９、７２、７５、７８、８１、８４、８７、９０、９３、９６、９９、１０２、１０５、１０８、または１１１に示されるアミノ酸配列に少なくとも６０％同一であるアミノ酸配列またはこれらのいずれかの組合せを備える単離されたポリペプチドであって、リグニン分解を加速する、単離されたポリペプチド。
【請求項３】
配列番号１、２、４、５、７、８、１０、１１、１３、１４、１６、１７、１９、２０、２２、２３、２５、２６、２８、２９、３１、３２、３４、３５、３７、３８、４０、４１、４３、４４、４６、４７、４９、５０、５２、５３、５５、５６、５８、５９、６１、６２、６４、６５、６７、６８、７０、７１、７３、７４、７６、７７、７９、８０、８２、８３、８５、８６、８８、８９、９１、９２、９４、９５、９７、９８、１００、１０１、１０３、１０４、１０６、１０７、１０９、または１１０に示されるヌクレオチド配列に少なくとも６０％同一であるポリヌクレオチドまたはこれらのいずれかの組合せを備える発現構築物であって、前記ポリヌクレオチドは、少なくとも１つの翻訳調節配列に操作可能に連結し、前記翻訳調節配列は、リボソーム結合部位、翻訳開始配列もしくは翻訳終結配列、またはその組合せを含み、それは、配列番号３、６、９、１２、１５、１８、２１、２４、２７、３０、３３、３６、３９、４２、４５、４８、５１、５４、５７、６０、６３、６６、６９、７２、７５、７８、８１、８４、８７、９０、９３、９６、９９、１０２、１０５、１０８、または１１１に示されるアミノ酸配列に少なくとも６０％同一であるポリペプチドまたはこれらのいずれかの組合せの発現を増強する、発現構築物。
【請求項４】
請求項１記載の前記ポリヌクレオチドを備え、前記ポリヌクレオチドは、リグニンを分解する酵素を産生するために宿主細胞中で発現可能である、組換え遺伝子構築物。
【請求項５】
前記ポリヌクレオチドの鋳型の発現を増強するために作動可能に連結されたプロモーター領域をさらに備える、請求項４に記載の組換え遺伝子構築物。
【請求項６】
請求項４記載の前記組換え遺伝子構築物を備え、リグニン分解を加速する酵素を産生する形質転換体。
【請求項７】
請求項４記載の前記組換え遺伝子構築物を備える、リグニン分解が増強されたトランスジェニック真菌Ｍ．ｐｈａｓｅｏｌｉｎａ。
【請求項８】
前記ポリヌクレオチドは、配列番号２、５、または８に示されるヌクレオチド配列に少なくとも６０％同一であり、またはこれらのいずれかの組合せである、リグニンペルオキシダーゼ活性を有するポリペプチドをコードする、請求項１に記載の単離されたポリヌクレオチド。
【請求項９】
前記ポリヌクレオチドは、配列番号１１、１４、１７、２０、２３、または２６に示されるヌクレオチド配列に少なくとも６０％同一であり、またはこれらのいずれかの組合せである、クロロペルオキシダーゼ活性を有するポリペプチドをコードする、請求項１に記載の単離されたポリヌクレオチド。
【請求項１０】
前記ポリヌクレオチドは、配列番号２９、３２、３５、３８、４１、または４４に示されるヌクレオチド配列に少なくとも６０％同一であり、またはこれらのいずれかの組合せである、ヘムペルオキシダーゼ活性を有するポリペプチドをコードする、請求項１に記載の単離されたポリヌクレオチド。
【請求項１１】
前記ポリヌクレオチドは、配列番号４７、５０、５３、５６、５９、６２、６５、６８、７１、７４、７７、８０、８３、８６、８９、９２、９５、９８、１０１、１０４、１０７、または１１０に示されるヌクレオチド配列に少なくとも６０％同一であり、またはこれらのいずれかの組合せである、マルチ銅オキシダーゼ活性を有するポリペプチドをコードする、請求項１に記載の単離されたポリヌクレオチド。
【請求項１２】
前記ポリペプチドは、配列番号３、６，または９に示されるアミノ酸配列に少なくとも６０％同一であり、またはこれらのいずれかの組合せである、リグニンペルオキシダーゼ活性を有する、請求項３に記載の単離されたポリペプチド。
【請求項１３】
前記ポリペプチドは、配列番号１２、１５、１８、２１、２４または２７に示されるアミノ酸配列に少なくとも６０％同一であり、またはこれらのいずれかの組合せである、クロロペルオキシダーゼ活性を有する、請求項３に記載の単離されたポリペプチド。
【請求項１４】
前記ポリヌクレオチドは、配列番号３０、３３、３６、３９、４２、または４５に示されるアミノ酸配列に少なくとも６０％同一であり、またはこれらのいずれかの組合せである、ヘムペルオキシダーゼ活性を有する、請求項３に記載の単離されたポリペプチド。
【請求項１５】
前記ポリペプチドは、配列番号４８、５１、５４、５７、６０、６３、６６、６９、７２、７５、７８、８１、８４、８７、９０、９３、９６、９９、１０２、１０５、１０８、または１１１に示されるアミノ酸配列に少なくとも６０％同一であり、またはこれらのいずれかの組合せである、マルチ銅オキシダーゼ活性を有する、請求項３に記載の単離されたポリペプチド。
【請求項１６】
請求項３に記載の前記発現構築物を備え、リグニン分解を加速する酵素を産生する、形質転換体。
【請求項１７】
請求項３に記載の前記発現構築物を含む、リグニン分解が増強されたトランスジェニック真菌Ｍ．ｐｈａｓｅｏｌｉｎａ。
【手続補正書】
【提出日】平成28年7月14日(2016.7.14)
【手続補正１】
【補正対象書類名】特許請求の範囲
【補正対象項目名】全文
【補正方法】変更
【補正の内容】
【特許請求の範囲】
【請求項１】
電力ケーブルのためのケーブルグランドであって、該ケーブルグランドはグランド内部に配置可能なダイアフラムシール（１０１；２０１；３０１；４０１；５０１；６０１；７０１；８０１）を含み、使用中に、電力ケーブルはダイアフラムシールを通して伸び、該ダイアフラムシールはケーブルが通るために適当なスルーボアを画定する内側シール壁（１０３；２０３；３０３；４０３；５０３；６０３；７０３；８０３）、グランド内に配置可能な外側シール壁（１０５；２０５；３０５；４０５；５０５；６０５；７０５；８０５）、および内側シール壁と外側シール壁の間に伸びるダイアフラム（１０７；２０７；３０７；４０７；５０７；６０７；７０７；８０７）を含み、内側シール壁と外側シール壁が略円柱状であり、グランドの長さ方向の中心線と同軸であり、外側シール壁は内側シール壁より大きい直径を有し、一体化された複数のサポート部分（１２３；２２３；３２３；４２３；５２３）が、ダイアフラムのケーブル出口側に軸の長さ方向の周囲に離隔した一連のウェブ（１２５；２２５；３２５：４８１）の形でダイアフラムシールに提供されるか、またはダイアフラムのケーブル出口側の長さ方向の軸の周囲に同軸に配置された一連の輪状のリブ（５８７）の形で提供される、ケーブルグランド。
【請求項２】
該一体化されたサポート部分が、ダイアフラムシールが爆発の力に抵抗することができるように構成される、請求項１記載のケーブルグランド。  
【請求項３】
該サポート部分が、ダイアフラムシールを通してケーブルを挿入する際に必要とされる力を低減するために変形可能であり、該変形可能なサポート部分が、後方にケーブルを引くことによってダイアフラムシールのインバージョンを許容する、請求項１または２記載のケーブルグランド。
【請求項４】
内側シール壁がケーブルの周りをシールするように構成され、外側シール壁がグランドのボデイ内にダイアフラムシールを固定するように構成され、外側シール壁がグランド内のボア部分に受容され、軸方向にダイアフラムシールを配置し、外側シール壁およびボア部分に、１以上の協力構成物が提供され、軸方向にダイアフラムシールを配置し保持する、請求項１から３のいずれか１項記載のケーブルグランド。
【請求項５】
内側シール壁が長さ方向の向きにシフトし、シールの片端において外側シール壁を越えて伸び、ダイアフラムが、外側シール壁と内側シール壁の間に伸び、長さ方向の軸に対して傾いていて、ダイアフラムは円錐台形状を形成し、円錐台形状がダイアフラムのケーブル挿入またはエントリー側に漏斗状領域を提供し、実装の間、ケーブルの挿入を促進する、請求項１から４のいずれか１項記載のケーブルグランド。
【請求項６】
ダイアフラムシールに離隔して盛り上がった一連の構成物（６８９）が提供され、ダイアフラムシールを通してケーブルを挿入する間にケーブルとダイアフラムシールの間の摩擦を減らし、構成物がダイアフラムシールの長さ方向に伸びている、請求項１から５のいずれか１項記載のケーブルグランド。
【請求項７】
ウェブは内側シール壁、外側シール壁およびダイアフラムにより形成された開放キャビティ（１２１；２２１；３２１；４２１；５２１）に配置され、ウェブは内側シール壁および／または外側シール壁および／またはダイアフラムに付けられる、請求項１から６のいずれか１項記載のケーブルグランド。
【請求項８】
ウエブが曲がっているか、まっすぐであるか、Ｕ字形である、請求項１から７のいずれか１項記載のケーブルグランド。
【請求項９】
ウェブが円周方向で均一に離れて配置される、請求項１から８のいずれか１項記載のケーブルグランド。
【請求項１０】
ウェブが同じ方向へ曲がっているか、１以上のウェブは一方向へ曲がり１以上のウェブが逆方向へ曲がっている、請求項８記載のケーブルグランド。
【請求項１１】
ウェブが内側シール壁の一部または全長にわたって伸び、外側シール壁の一部または全長にわたって伸びる、請求項１から１０のいずれか１項記載のケーブルグランド。
【請求項１２】
いくつかまたはすべてのウエブが実質的に一定の壁厚を有するか、いくつかまたはすべてのウエブが異なる壁厚を有する、請求項１から１１のいずれか１項記載のケーブルグランド。
【請求項１３】
ダイアフラムが、加えられた爆発圧力下でインバージョンすることを防止するため、ダイアフラムのサポートとしてウエブまたはリブが作用し、リブがダイアフラムの変形を許容してケーブルの挿入を補助して、ケーブルを抜き出す時には、ケーブルを後方に引いた時にダイアフラムのインバージョンを許容し、ケーブルの抜き出しを補助する、請求項１から１２のいずれか１項記載のケーブルグランド。
【請求項１４】
ダイアフラムシールには、外側シール壁上に結合されるか、またはマウントされた構成要素が提供され、フレームパスに、その内部にダイアフラムシールが受容されるケーブルグランドの一部の内部のセクションを提供する、請求項１から１３のいずれか１項記載のケーブルグランド。
【請求項１５】
構成要素および内部のセクションは同様の形状を有する、請求項１４記載のケーブルグランド。